(57)【特許請求の範囲】
【請求項１】
目地部を介して設けられた左右の床躯体の、一方の床躯体に形成された反目地部側が傾斜面の凹部と、この凹部内に先端部がスライド移動可能に支持され、該先端部が上下方向に回動可能に後端部が他方の床躯体の目地部側躯体に支持された目地プレートと、この目地プレートの先端部に先端部が上下方向に回動するように枢支された、通常時には前記凹部の先端部を覆う端部目地プレートと、この端部目地プレートの底面に所定間隔で固定された、該端部目地プレートの撓みを防止するとともに、前記目地プレートの先端部が一方の床躯体の床面上に乗り上げる場合、端部目地プレートの先端部が一方の床躯体の床面と当接することなく案内する複数個のガイド片とを備えることを特徴とする床用目地装置。
【請求項２】
目地部を介して設けられた左右の床躯体の、両方の床躯体に形成された反目地部側が傾斜面の左右の凹部と、この左右の凹部内に両端部がスライド移動可能に支持された目地プレートと、この目地プレートの中央部を上下移動可能に前記目地部の中央に常時位置させる少なくとも２個以上の中央維持機構と、前記目地プレートの両端部に先端部が上下方向に回動するように枢支された、通常時には前記凹部の端部を覆う左右の端部目地プレートと、この左右の端部目地プレートの底面に所定間隔で固定された該左右の端部目地プレートの撓みを防止するとともに、前記目地プレートの端部が左右の床躯体の床面上に乗り上げる場合、左右の端部目地プレートの先端部が左右の床躯体の床面と当接することなく案内する左右の複数個のガイド片とを備えることを特徴とする床用目地装置。
【発明の詳細な説明】
【技術分野】
【０００１】
本発明は目地部を介して設けられた左右の床躯体間を覆う床用目地装置に関する。
【背景技術】
【０００２】
従来の床用目地装置は左右の床躯体の一方の床躯体の目地部側に反目地部側が傾斜面に形成された凹部と、この凹部内に先端部が支持され、該先端部が上下方向に回動可能に後端部が他方の床躯体の目地部側躯体に支持された目地プレートと、この目地プレートの先端部に先端部が上下方向に回動可能に取付けられた凹部の先端部を覆う端部目地プレートとで構成されていた。
【０００３】
このように構成された床用目地装置は地震等によって、左右の床躯体が異なる左右方向に揺れ動いて、目地部が狭くなると目地プレートの先端部が一方の床躯体の床面上に乗り上がるように移動するとともに、端部目地プレートも同方向へ移動する。この端部目地プレートは後端部が上方へ押し上げられるとともに、先端部が床面上に当接した状態での移動となるため、端部目地プレートの先端部で床面を損傷させるという欠点があった。
【特許文献１】特許第３４０２３０７号
【発明の開示】
【発明が解決しようとする課題】
【０００４】
本発明は以上のような従来の欠点に鑑み、地震等によって目地部が狭くなり、目地プレートの先端部が床面上に乗り上げても、端部目地プレートの先端部で床面を損傷させるのを確実に防止するとともに、端部目地プレートに大きな荷重が加わっても、撓んだりするのを効率よく阻止することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の、一方の床躯体に形成された反目地部側が傾斜面の凹部と、この凹部内に先端部がスライド移動可能に支持され、該先端部が上下方向に回動可能に後端部が他方の床躯体の目地部側躯体に支持された目地プレートと、この目地プレートの先端部に先端部が上下方向に回動するように枢支された、通常時には前記凹部の先端部を覆う端部目地プレートと、この端部目地プレートの底面に所定間隔で固定された、該端部目地プレートの撓みを防止するとともに、前記目地プレートの先端部が一方の床躯体の床面上に乗り上げる場合、端部目地プレートの先端部が一方の床躯体の床面と当接することなく案内する複数個のガイド片とで床用目地装置を構成している。
【発明の効果】
【０００７】
以上の説明から明らかなように、本発明にあっては次に列挙する効果が得られる。
【０００８】
（１）目地部を介して設けられた左右の床躯体の、一方の床躯体に形成された反目地部側が傾斜面の凹部と、この凹部内に先端部がスライド移動可能に支持され、該先端部が上下方向に回動可能に後端部が他方の床躯体の目地部側躯体に支持された目地プレートと、この目地プレートの先端部に先端部が上下方向に回動するように枢支された、通常時には前記凹部の先端部を覆う端部目地プレートと、この端部目地プレートの底面に所定間隔で固定された、該端部目地プレートの撓みを防止するとともに、前記目地プレートの先端部が一方の床躯体の床面上に乗り上げる場合、端部目地プレートの先端部が一方の床躯体の床面と当接することなく案内する複数個のガイド片とで構成されているので、端部目地プレートに大きな荷重が加わっても、複数個のガイド片によってその荷重を支持し、撓んだりするのを効率よく防止することができる。
【０００９】
（２）前記（１）によって、複数個のガイド片によって目地プレートの先端部が床面上に乗り上がった場合、端部目地プレートの先端部を床面に当接するのを防止することができる。
したがって、床面を損傷させるのを確実に阻止することができる。
【００１０】
（３）前記（１）によって、目地プレートの先端部に大きな隙間を設けて、該大きな隙間を覆う大きな端部目地プレートにして、比較的小さな異なる左右方向の揺れ動き時には端部目地プレートの回動を不要として、床面の損傷を防止し、安全に使用できるようにしている。
【００１１】
（４）請求項２も前記（１）〜（３）と同様な作用効果が得られる。
【００１２】
（５）請求項３も前記（１）〜（３）と同様な効果が得られるとともに、端部目地プレートの回動時に床面より端部目地プレートの先端部が大きく開放するのを阻止でき、安全に使用することができる。
【発明を実施するための最良の形態】
【００１３】
以下、図面に示す本発明を実施するための最良の形態より、本発明を詳細に説明する。
【００１４】
図１ないし図７に示す本発明を実施するための最良の第１の形態において、１は目地部２を介して設けられた左右の床躯体３、３間を覆う本発明の床用目地装置で、この床用目地装置１は前記左右の床躯体３、３の一方の床躯体３の目地部側の反目地部側が傾斜面４に形成された凹部５と、この凹部５内に所定間隔で固定され上部を除く部位にモルタルが充填される左右方向の複数個のガイド部材６と、前記凹部５内に先端部が位置してスライド移動可能に支持され、該先端部が上下方向に回動可能に後端部が前記他方の床躯体３の目地部側に固定された支持金具７に支持された目地プレート８と、この目地プレート８の後端部の底面に下方へ突出するように固定された、前記支持金具７に形成された透孔９、９にそれぞれ遊挿される複数個の支持ピン１０、１０と、前記目地プレート８の先端部に先端部が上下方向に回動するように枢支された、通常時には前記凹部５の先端部を覆う端部目地プレート１１と、この端部目地プレート１１の底面に所定間隔で固定された、該端部目地プレート１１の撓みを防止するとともに、前記目地プレート８の先端部が前記一方の床躯体３の床面上に乗り上げる場合、端部目地プレート８の先端部が一方の床躯体３の床面と当接することなく案内する、前記目地プレート８の先端部と当接するストッパー部１２を有する複数個のガイド片１３とで構成されている。  
【００１５】
前記端部目地プレート１１は該端部目地プレート１１の後端部寄りの底面に所定間隔で固定された、前記複数個のガイド片１３に形成された軸挿入孔１４と、この複数個のガイド片１３に沿うように前記目地プレート８の先端部に固定された、前記軸挿入孔１４と一致する部位に軸挿入孔１５が形成された軸受部材１６と、この軸受部材１６の軸挿入孔１５と前記複数個のガイド片１３の軸挿入孔１４に挿入された枢支軸１７とで先端部が上下方向に回動するように取付けられている。
【００１６】
上記構成の床用目地装置１は、通常時には目地部２および一方の床躯体３に形成された凹部５は目地プレート８および端部目地プレート１１で覆われた状態となっている。
この時、端部目地プレート１１に大きな荷重が加わっても、該端部目地プレート１１の底面に固定された複数個のガイド片１３によって、その荷重を支持して撓んだりするのを防止する。
【００１７】
地震等によって、左右の床躯体３、３が凹部５の傾斜面４と複数個のガイド片１３との間の隙Ｌ分の左右方向の揺れ動き時には、該隙間Ｌ分だけ端部目地プレート１１が一方の床躯体３の床面と重なり合っているため、目地プレーと８および端部目地プレート１１の左右方向のスライド移動によって、その揺れ動きを吸収する。
【００１８】
左右の床躯体３、３が大きく揺れ動き目地部２が狭くなると、図６に示すように端部目地プレート１１および目地プレート８の先端部が一方の床躯体３の床面上に乗り上がり、該床面上をスライド移動するが、端部目地プレート１１は複数個のガイド片１３のストッパー部１２が目地プレート８の先端部と当接して、先端部が床面と当接することがなく、該端部目地プレート１１の先端部で床面を損傷させる不具合を確実に防止することができる。
【００１９】
また、目地部２が広くなった場合も同様に、目地プレート８の先端部および端部目地プレート１１の先端部が、図７に示すように凹部５内に位置するが、端部目地プレート１１の先端部は凹部５の底面に当接することがないため、元の位置へ戻る時に従来のように傾斜面の端部の隅部と当接することなく端部目地プレート１１が傾斜面４とだけ当接してスムーズにスライド移動させることができる。
[発明を実施するための異なる形態]
【００２０】
次に、図８ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図８および図９に示す本発明を実施するための第２の形態において、前記本発明を実施するための最良の第１の形態と主に異なる点は、他方の床躯体３の目地部側に目地プレート８の後端部を支持する支持凹部１８と、該支持凹部１８に形成した目地プレート８の後端部の底面に突出する複数個の支持ピン１０、１０が遊挿される支持ピン挿入穴１９、１９を形成するとともに、傾斜面４とガイド片１３との間の隙間を上部より下部側が広くなるように設定した点で、このようにに構成した床用目地装置１Ａにしても、前記本発明を実施するための最良の第１の形態と同様な作用効果が得られる。
【００２２】
図１０ないし図１３に示す本発明を実施するための第３の形態において、前記本発明を実施するための最良の第１の形態と主に異なる点は、端部目地プレート１１を目地プレート８の先端部に固定された軸受部材２０、２０と、端部目地プレート１１の床面に固定された軸受部材２１、２１とを枢支ピン２２、２２で枢支したヒンジ部材２３、２３を用いて取付けた点で、このように構成した床用目地装置１Ｂにしても、前記本発明を実施するための最良の第１の形態と同様な作用効果が得られる。
【００２３】
図１４ないし図１６に示す本発明を実施するための第４の形態において、前記本発明を実施するための最良の第１の形態と主に異なる点は、左右の床躯体３、３の目地部側に左右の凹部５、５を形成し、両端部が前記左右の凹部５、５に支持される目地プレート８Ａの中央部が上下移動可能で、かつ常時目地部２の中央部に位置させることができるパンタグラフ形状の、少なくとも２個以上の中央維持機構２４、２４で支持し、目地プレート８Ａの両端部に左右の端部目地プレート１１、１１を設けた点で、このように構成した床用目地装置１Ｃにしても、前記本発明を実施するための最良の第１の形態と同様な作用効果が得られる。
なお、本発明を実施するための形態ではパンタグラフ形状の中央維持機構を用いるものについて説明したが、本発明はこれに限らず、一対のレールと該一対のレールに両端部が係合される支持バーを用いた中央維持機構、四角枠形状のリンクを用いた中央維持機構、一対のラックとピニオンを用いた中央維持機構等、どんな機構の中央維持機構を用いてもよい。
また、左右の端部目地プレート１１、１１の取付けは前記本発明を実施するための第３の形態で使用したものを使用してもよい。
【産業上の利用可能性】
【００２４】
本発明は床用目地装置を製造する産業で利用される。
【図面の簡単な説明】
【００２５】
【図１】本発明を実施するための最良の第１の形態の平面図。
【図２】図１の２−２線に沿う断面図。
【図３】本発明を実施するための最良の第１の形態の目地プレートの説明図。
【図４】本発明を実施するための最良の第１の形態の端部目地プレートの説明図。
【図５】本発明を実施するための最良の第１の形態の要部拡大断面図。
【図６】本発明を実施するための最良の第１の形態の目地部が狭くなった動作説明図。
【図７】本発明を実施するための最良の第１の形態の目地部が広くなった動作説明図。
【図８】本発明を実施するための第２の形態の平面図。
【図９】図８の９−９線に沿う断面図。
【図１０】本発明を実施するための第３の形態の平面図。
【図１１】図１０の１１−１１線に沿う断面図。
【図１２】本発明を実施するための第３の形態の目地プレートの説明図。
【図１３】本発明を実施するための第３の形態の端部目地プレートの説明図。
【図１４】本発明を実施するための第４の形態の平面図。
【図１５】図１４の１５−１５線に沿う断面図。
【図１６】本発明を実施するための第４の形態の目地部が狭くなった動作説明図。
【符号の説明】
【００２６】
１、  、１Ａ、１Ｂ、１Ｃ：床用目地装置、  
２：目地部、        ３：床躯体、
４：傾斜面、        ５：凹部、
６：ガイド部材、      ７：支持金具、
８、８Ａ：目地プレート、        ９：透孔、
１０：支持ピン、      １１：端部目地プレート、
１２：ストッパー部、    １３：ガイド片、
１４：軸挿入孔、      １５：軸挿入孔、
１６：軸受部材、      １７：枢支軸、
Ｌ：隙間、        １８：支持凹部、
１９：支持ピン挿入穴、    ２０：軸受部材、
２１：軸受部材、      ２２：枢支ピン、
２３：ヒンジ部材、      ２４：中央維持機構。
【図１】
0004467474.tif 000002
【図２】
0004467474.tif 000003
【図３】
0004467474.tif 000004
【図４】
0004467474.tif 000005
【図５】
0004467474.tif 000006
【図６】
0004467474.tif 000007
【図７】
0004467474.tif 000008
【図８】
0004467474.tif 000009
【図９】
0004467474.tif 000010
【図１０】
0004467474.tif 000011
【図１１】
0004467474.tif 000012
【図１２】
0004467474.tif 000013
【図１３】
0004467474.tif 000014
【図１４】
0004467474.tif 000015
【図１５】
0004467474.tif 000016
【図１６】
0004467474.tif 000017